【事件の表示】
　特許第３０３２１８３号「粘着シート」の請求項１に係る特許に対する特許異議の申立てについて、次のとおり決定する。
【結　論】
　訂正を認める。
　本件特許異議の申立てを却下する。
【理　由】
１．手続の経緯
　本件特許第３０３２１８３号の請求項１〜３に係る発明についての出願は、平成９年１０月３０日に特許出願され、平成１２年２月１０日にその特許権の設定登録がなされ、その後、宮田　伸夫（以下、「申立人」という。）より、請求項１に係る発明のみについての特許異議の申立がなされ、取消理由通知がなされ、その指定期間内である平成１３年８月９日に訂正請求がなされたものである。
　
２．訂正の適否についての判断
　２の１．訂正の内容
　ア．訂正事項ａ
　特許請求の範囲の請求項１を削除する。
　イ．訂正事項ｂ
　同請求項２、３の項番号を順次、請求項１、２に繰り上げ、その記載を下記のとおりに訂正する。
　「【請求項１】シート状の基材と、この基材の下側に設けられる粘着剤層とを備える粘着シートであって、
　この粘着剤層を構成する粘着剤が、親水性基を有する熱可塑性プラスチックを主成分とし、
　この熱可塑性プラスチックが、４０％以上７０％以下の割合でケン化されたポリビニルアルコールとエチレンビニルアルコール樹脂との共重合体である、
ことを特徴とする粘着シート。
　【請求項２】上記基材の上側に撥水層を備える請求項１に記載の粘着シート。」
　ウ．訂正事項ｃ
　明細書の段落【００１３】及び段落【００２２】を削除する。
　エ．訂正事項ｄ
　同段落【００１４】の記載全体を下記のとおりに訂正する。
　「【課題を解決するための手段】前述の問題に鑑みてなされた本発明は、シート状の基材と、この基材の下側に設けられる粘着剤層とを備える粘着シートであって、この粘着剤層を構成する粘着剤が、親水性基を有する熱可塑性プラスチックを主成分とし、この熱可塑性プラスチックが、４０％以上７０％以下の割合でケン化されたポリビニルアルコールとエチレンビニルアルコール樹脂との共重合体であることを特徴とするものである。この発明によれば、粘着剤層を構成する粘着剤が感熱性であるので、製造工程及びガラス容器等への貼り付け工程が簡便である。しかも、粘着剤層を構成する粘着剤が水分散性であるので、水洗浄により容易に容器から引き剥がすことができ、また水解離可能であるので再生紙中に混入しても再生紙の品質を低下させることがない。一方、当該粘着シートは水洗浄により容器から容易に引き剥がすことができるものであるが、例えば内容物を冷却するため容器が冷水中に浸される場合や、水道の蛇口付近に置かれたため容器表面に水が付着する場合等の通常の使用状況のもとでは、容器から剥がれない程度の接着強度が必要である。また熱可塑性プラスチックとして、４０％以上７０％以下の割合でケン化されたポリビニルアルコールとエチレンビニルアルコール樹脂との共重合体を用いることによっても、水洗浄時には容易に剥離可能であり、かつ、通常の使用状況のもとでは容器等から剥がれない程度の接着強度にすることができる。」
　２の２．訂正の目的の適否、新規事項の有無及び拡張変更の存否
　訂正事項ａは、請求項１を削除する点で、特許請求の範囲の減縮を目的とするものである。
　訂正事項ｂ〜ｄは、訂正事項ａによる特許請求の範囲の減縮に伴い必要となる、不明瞭な記載の釈明を目的とするものである。
　そして、これらの訂正は、実質上特許請求の範囲を拡張又は変更するものではなく、また、新規事項を追加するものでもない。
　２の３．むすび
　したがって、上記訂正は、特許法第１２０条の４第２項及び同条第３項で準用する同法第１２６条第２、３項の規定に適合するので、当該訂正を認める。
　
３．特許異議の申立てについての判断
　訂正前の請求項１に係る発明は、上記適法な訂正により削除された結果、もはや特許異議の申立ての対象は存在しないから、本件特許異議の申立ては不適法な申立てであって、その補正をすることができないものである。
　したがって、本件特許異議の申立ては、特許法第１２０条の６第１項で準用する同法第１３５条の規定によって却下すべきものである。
　よって、結論のとおり決定する。
【異議決定日】
平成１３年８月２１日（２００１．８．２１）
【訂正の要旨】
訂正の要旨
　ア．訂正事項ａ
　特許請求の範囲の減縮を目的として、特許請求の範囲の請求項１を削除する。
　イ．訂正事項ｂ
　明りょうでない記載の釈明を目的として、同請求項２、３の項番号を順次、請求項１、２に繰り上げ、その記載を下記のとおりに訂正する。
　「【請求項１】シート状の基材と、この基材の下側に設けられる粘着剤層とを備える粘着シートであって、
　この粘着剤層を構成する粘着剤が、親水性基を有する熱可塑性プラスチックを主成分とし、
　この熱可塑性プラスチックが、４０％以上７０％以下の割合でケン化されたポリビニルアルコールとエチレンビニルアルコール樹脂との共重合体である、
ことを特徴とする粘着シート。
　【請求項２】上記基材の上側に撥水層を備える請求項１に記載の粘着シート。」
　ウ．訂正事項ｃ
　明りょうでない記載の釈明を目的として、明細書の段落【００１３】及び段落【００２２】を削除する。
　エ．訂正事項ｄ
　明りょうでない記載の釈明を目的として、同段落【００１４】の記載全体を下記のとおりに訂正する。
「【課題を解決するための手段】前述の問題に鑑みてなされた本発明は、シート状の基材と、この基材の下側に設けられる粘着剤層とを備える粘着シートであって、この粘着剤層を構成する粘着剤が、親水性基を有する熱可塑性プラスチックを主成分とし、この熱可塑性プラスチックが、４０％以上７０％以下の割合でケン化されたポリビニルアルコールとエチレンビニルアルコール樹脂との共重合体であることを特徴とするものである。
　この発明によれば、粘着剤層を構成する粘着剤が感熱性であるので、製造工程及びガラス容器等への貼り付け工程が簡便である。
　しかも、粘着剤層を構成する粘着剤が水分散性であるので、水洗浄により容易に容器から引き剥がすことができ、また水解離可能であるので再生紙中に混入しても再生紙の品質を低下させることがない。
　一方、当該粘着シートは水洗浄により容器から容易に引き剥がすことができるものであるが、例えば内容物を冷却するため容器が冷水中に浸される場合や、水道の蛇口付近に置かれたため容器表面に水が付着する場合等の通常の使用状況のもとでは、容器から剥がれない程度の接着強度が必要である。
　また熱可塑性プラスチックとして、４０％以上７０％以下の割合でケン化されたポリビニルアルコールとエチレンビニルアルコール樹脂との共重合体を用いることによっても、水洗浄時には容易に剥離可能であり、かつ、通常の使用状況のもとでは容器等から剥がれない程度の接着強度にすることができる。」
（５４）【発明の名称】
粘着シート
（５７）【特許請求の範囲】
　【請求項１】　シート状の基材と、この基材の下側に設けられる粘着剤層とを備える粘着シートであって、
　この粘着剤層を構成する粘着剤が、親水性基を有する熱可塑性プラスチックを主成分とし、
　この熱可塑性プラスチックが、４０％以上７０％以下の割合でケン化されたポリビニルアルコールとエチレンビニルアルコール樹脂との共重合体である、
　ことを特徴とする粘着シート。
　【請求項２】　上記基材の上側に撥水層を備える請求項１に記載の粘着シート。
【発明の詳細な説明】
　【０００１】
　【発明の属する技術分野】
　本発明は、ガラス容器、プラスチック容器、文具等の表面に貼り付けられる粘着シートに関するものである。
　【０００２】
　【従来の技術】
　ビールや日本酒用のガラス容器、飲料水や液体洗剤用のプラスチック容器、文具等には、商標標示ラベルや品質表示ラベルとしての粘着シートが貼り付けられる。また、コピー用紙、ノート、録音用カセットテープ等を包装する場合の包装紙の折れ端には、封緘のため「耳ラベル」と呼ばれる粘着シートが貼り付けられる。
　【０００３】
　この粘着シートは、シート状の基材と、この基材の下側に設けられる粘着剤層とを備えている。粘着剤層は粘着剤から構成されており、この粘着剤の粘着効果により粘着シートがガラス容器等の表面に貼り付けられる。基材としては、上質紙やクラフト紙やコート紙等の紙素材、ポリ塩化ビニルやポリエチレンやポリプロピレンやポリエステル等のプラスチック、織布、不織布等が用いられている。
　【０００４】
　粘着剤層を構成する粘着剤は、溶剤タイプ、エマルジョンタイプ、水溶タイプ及び熱可塑タイプに大別できる。このうち、溶剤タイプの粘着剤は、有機溶剤による大気汚染や作業環境の悪化のおそれがあり、また有機溶剤の引火を防止する設備に多大の費用が必要となる。
　【０００５】
　エマルジョンタイプの粘着シートは水中に分散したポリマー分を基材に塗工するため、溶剤タイプのような作業環境悪化等の問題は生じない。しかし、このタイプの粘着シートは基材に塗工した後に含水分を乾燥させる必要が有り、乾燥のための熱エネルギーが多く必要であり、しかも塗工された粘着剤が充分乾燥して粘着性がなくなるまで粘着シートの巻き取りや重ね合わせができず、製造工程が複雑である。
　【０００６】
　ポリビニルアルコール等の水溶性プラスチックを含む、いわゆる水溶タイプの粘着シートは、前述のエマルジョンタイプのものと同様、基材に塗工した後に水分を乾燥させる必要が有り、乾燥のための熱エネルギーが多く必要であり、しかも塗工された粘着剤が充分乾燥して粘着性がなくなるまで粘着シートの巻き取りや重ね合わせができず、製造工程が複雑である。また、この粘着シートは再湿タイプと呼ばれるものであり、粘着剤層に粘着性を発現させてガラス容器等に貼り付けるためには粘着シートを湿らせる必要があり、また貼り付け後に乾燥させる必要があるので、貼り付け工程が複雑である。
　【０００７】
　ガラス容器等への貼り付け工程が簡便な粘着シートとして、エチレンビニルアルコール等の熱可塑性プラスチックを含む熱可塑タイプの粘着剤を用いた粘着シートが知られている。感熱性の粘着剤とは、加熱することにより粘着効果を発現する粘着剤のことであり、熱活性型粘着剤とも呼ばれるものである。この粘着シートは加熱するのみでガラス容器等に貼り付けることができ、しかも貼り付け後の乾燥工程が不要である。従って、粘着シートの貼り付け工程を簡略化することができる。また、加熱前は粘着性がないため、粘着シートを巻き取ったり重ね合わせたりする場合でも粘着シート間に剥離紙を設ける必要がない。
　【０００８】
　この粘着シートは、エチレンビニルアルコール等のプラスチックを溶融して基材に塗工するか、エチレンビニルアルコール等のプラスチックをエマルジョン状態としておきこれを基材に塗工するか、またはエチレンビニルアルコール等のプラスチックを溶融押出して基材上にラミネートすることにより得られる。この粘着シートは、水溶性プラスチックを用いた上記の粘着シートほどには製造時の乾燥が必要なく、従って製造工程の簡略化をも図ることができる。
　【０００９】
　【発明が解決しようとする課題】
　ところで、近年、省資源の見地から、使用済みの容器や包装紙が再利用されるようになりつつある。例えば、ビール瓶等のガラス容器は回収・洗浄されて再度利用される。また、プラスチック容器は回収後溶融され、再生プラスチックとして利用される。さらに、包装紙は回収後、単独で又はパルプに混合されて、再生紙として利用される。
　【００１０】
　ガラス容器を再利用するには新たに商標標示ラベルや品質表示ラベルを貼り付ける必要があるため、回収後のガラス容器から粘着シートを引き剥がさなければならない。プラスチック容器を再生する場合も、再生プラスチック中に粘着シートが異物として混入しないように、溶融前にプラスチック容器から粘着シートを引き剥がさなければならない。しかしながら、前述の感熱性粘着剤を用いた粘着シートは引き剥がしに多大の労力を要し、容器の再利用のコストを上昇させてしまうという問題がある。また、包装紙を用いて再生紙を製造する場合も、感熱性粘着剤を用いた粘着シートは水離解が困難であるので、この粘着シートが除去されないままで再生紙が製造されると粘着剤が再生紙中に混入し、再生紙の品質を低下させてしまうという問題がある。
　【００１１】
　ポリビニルアルコール等の水溶性プラスチックを含む水溶性の粘着剤を用いた粘着シートであれば、水洗浄により容易に容器から引き剥がすことができ、また水離解可能であるので再生紙中に混入しても再生紙の品質を低下させることがない。しかし、水溶性プラスチックを用いた粘着シートは、前述のように製造工程及びガラス容器等への貼り付け工程が複雑である。
　【００１２】
　本発明はこれらの問題に鑑みてなされたものであり、製造工程及びガラス容器等への貼り付け工程が簡便であり、しかも適用される容器や包装紙の再利用を容易とする粘着シートを提供することをその目的とする。
　【００１３】
　【課題を解決するための手段】
　前述の問題に鑑みてなされた本発明は、シート状の基材と、この基材の下側に設けられる粘着剤層とを備える粘着シートであって、この粘着剤層を構成する粘着剤が、親水性基を有する熱可塑性プラスチックを主成分とし、この熱可塑性プラスチックが、４０％以上７０％以下の割合でケン化されたポリビニルアルコールとエチレンビニルアルコール樹脂との共重合体であることを特徴とするものである。この発明によれば、粘着剤層を構成する粘着剤が感熱性であるので、製造工程及びガラス容器等への貼り付け工程が簡便である。しかも、粘着剤層を構成する粘着剤が水分散性であるので、水洗浄により容易に容器から引き剥がすことができ、また水離解可能であるので再生紙中に混入しても再生紙の品質を低下させることがない。一方、当該粘着シートは水洗浄により容器から容易に引き剥がすことができるものであるが、例えば内容物を冷却するため容器が冷水中に浸される場合や、水道の蛇口付近に置かれたため容器表面に水が付着する場合等の通常の使用状況のもとでは、容器から剥がれない程度の接着強度が必要である。また熱可塑性プラスチックとして、４０％以上７０％以下の割合でケン化されたポリビニルアルコールとエチレンビニルアルコール樹脂との共重合体を用いることによっても、水洗浄時には容易に剥離可能であり、かつ、通常の使用状況のもとでは容器等から剥がれない程度の接着強度にすることができる。
　【００１４】
　さらに、基材の上側に撥水層を設けて粘着剤層まで水分が浸透しないようにすることによっても、水洗浄時には容易に剥離可能であり、かつ、通常の使用状況のもとでは容器等から剥がれない程度の接着強度を得ることができる。
　【００１５】
　【発明の実施の形態】
　以下、適宜図面を参照しつつ、本発明を詳説する。
　【００１６】
　図１には本発明の一実施形態にかかる粘着シート１の断面図が示されている。この粘着シート１は、シート状の基材２とこの基材２の下側に設けられる粘着剤層３とを備えている。基材２の上側には印刷層４が設けられている。この印刷層４は、商標標示や品質表示のためのものである。基材２としては、上質紙やクラフト紙やコート紙等の紙素材、ポリ塩化ビニルやポリエチレンやポリプロピレンやポリエステル等のプラスチック、織布、不織布等が好適に用いられる。
　【００１７】
　粘着剤層３は、感熱性でありかつ水分散性である粘着剤から構成されている。粘着剤を感熱性とするには、熱可塑性プラスチックを用いればよい。また、粘着剤を水分散性とするには、この熱可塑性プラスチックに水酸基、カルボキシル基、アミノ基等の親水性基を導入すればよい。粘着剤層３を水分散性とすることにより、水洗浄するだけで容器から粘着シート１を容易に引き剥がすことができ、ガラス容器の再利用や再生プラスチックの製造を低コストで行うことができるようになる。また、粘着剤層３を水分散性とすることにより、基材２として紙素材が用いられる包装紙の封緘用の粘着シート１では、この粘着シート１が付着したままの包装紙が再生されても、粘着剤は水中に溶解又は分散し、基材２はそのまま再生紙の材料とされるので、再生紙の品質低下が起こらない。
　【００１８】
　例えばビール瓶は冷水中に浸されて冷却されることがあり、また液体洗剤用のプラスチック容器は流し台の上に置かれ水道水が付着することが多い。このような使用状況のもとでも、軟化点が摂氏８０度以上の熱可塑性樹脂を粘着剤層３に用いれば、粘着剤が水に溶解して粘着シート１が容易に剥がれてしまうということを防げるので好ましい。
　【００１９】
　本実施形態にかかる粘着シート１に用いられる粘着剤は、酢酸ビニル樹脂、エチレン酢酸ビニル樹脂、ポリエステル、ポリアミド等と多価アルコールとを共重合させることにより得られるプラスチックを主成分とするものであり、Ｒ＆Ｂ法により測定される軟化点は摂氏１００度程度である。多価アルコールを共重合成分としているためプラスチック中に水酸基が導入されており、このため水洗浄により粘着シート１を容器から容易に引き剥がすことができる。しかも軟化点が摂氏８０度以上であるため水道水の付着程度では剥がれることがない。このような粘着剤としては、例えば日本エヌエスシー株式会社製の商品名「サイクロフレックス７０−４４８５」、「サイクロフレックス７０−４３９６」、「サイクロフレックス７０−３８５０」、「サイクロフレックス７０−３７８０」等が挙げられる。
　【００２０】
　また、これらのプラスチックに代えて、４０％以上７０％以下の割合でケン化されたポリビニルアルコールとエチレンビニルアルコール樹脂との共重合体であるプラスチックを用いることもできる。
　【００２１】
　この粘着シート１の粘着剤層３は感熱性であるため、加熱により粘着性を発現する。したがって、加熱するのみでガラス容器等に貼り付けることができ、しかも貼り付け後の乾燥工程が不要である。このため、粘着シート１の貼り付け工程を簡略化することができる。なお、この粘着剤層３は水分散性でもあるため、いわゆる再湿によってもガラス容器等に貼り付けることができる。
　【００２２】
　この粘着シート１の基材２の厚みは、通常は５０マイクロメーター以上２００マイクロメーター以下であり、好ましくは８０マイクロメーター以上１５０マイクロメーター以下である。また、粘着剤層３の厚みは、通常は３マイクロメーター以上５０マイクロメーター以下であり、好ましくは５マイクロメーター以上３０マイクロメーター以下である。もちろん、用いられる材質や用途に応じ、基材２及び粘着剤層３の厚みは適宜変更される。
　【００２３】
　図２には、本発明の他の実施形態にかかる粘着シート１１が示されている。この粘着シート１１は、基材２、粘着剤層３及び印刷層４を備えている点は、図１に示された粘着シート１と同様である。この粘着シート１１は、印刷層４の上側にさらに撥水層５を備えている。この撥水層の構成は、通常の粘着シートに多用されるシリコーン系の離型処理層と同様とされる。また、フッ素系撥水剤を塗布して構成してもよく、パラフィンワックスを塗布して構成してもよい。さらに、桐油、アマニ油等の乾性油等を用いることもできる。すなわち、本発明の撥水層とは、水分をはじく性質の層全てを指す。
　【００２４】
　撥水層５は水分をほとんど透過させないので、ガラス容器が水中に浸された場合やプラスチック容器の表面に水が付着した場合でも、水分がほとんど粘着剤層３に到達しない。従って、粘着剤が水に溶融して粘着シート１１が容易に剥がれてしまうのを防ぐことができる。また、この撥水層５は離型処理も兼ねており、粘着シート１１を巻き取ったり重ね合わせたりしたときでも、下側の粘着シート１１の印刷層４が上側の粘着シート１１の粘着剤層３に移行するのを防ぐことができる。
　【００２５】
　【発明の効果】
　以上説明したように、本発明によれば、製造工程及びガラス容器等への貼り付け工程が極めて簡便であり、しかも適用される容器や包装紙の再利用が容易な粘着シートを得ることができる。
【図面の簡単な説明】
　【図１】　図１は、本発明の一実施形態にかかる粘着シートが示された断面図である。
　【図２】　図２は、本発明の他の実施形態にかかる粘着シートが示された断面図である。
　【符号の説明】
　１、１１・・・粘着シート
　２・・・基材
　３・・・粘着剤層
　４・・・印刷層